(57)【要約】【課題】  壁裏にリブが形成されているユニットバスにおいても、水栓をユニットバスの壁に取付けるための水栓エルボを壁裏に支障なく固定できるようにすることである。【解決手段】  水栓をユニットバスＢの側壁１に取付けるために、前記ユニットバスＢの側壁１の壁裏に水栓エルボＥを固定する固定具Ｆであって、前記側壁１の壁裏に当接し、前記水栓エルボＥを支持する複数の支持板部（支持部）２１と、該支持板部２１どうしを連結する連結板部（連結部）２２とを備え、前記連結板部２２は、支持板部２１が側壁１の壁裏に当接した状態で、側壁１との間に空間部３１を形成すべく前記支持板部２１から屈曲して形成された構成とする。【選択図】        図２
2006265832.tif 000002
【特許請求の範囲】
【請求項１】
水栓をユニットバスの側壁に取付けるために、前記ユニットバスの側壁の壁裏に水栓エルボを固定する固定具であって、
前記側壁の壁裏に当接し、前記水栓エルボを支持する複数の支持部と、該支持部どうしを連結する連結部とを備え、前記連結部は、支持部が側壁の壁裏に当接した状態で、前記側壁の壁裏のリブとの干渉を回避するための空間部を前記側壁との間に形成すべく、前記支持部から屈曲して形成されていることを特徴とするユニットバスへの水栓エルボ固定具。
【請求項２】
前記支持部に水栓エルボを支持させた状態で、前記水栓エルボの一部が当接して該水栓エルボの廻り止めを行う廻止め部を備えていることを特徴とする請求項１に記載のユニットバスへの水栓エルボ固定具。
【請求項３】
前記廻止め部は、水栓エルボの側方に突出形成された鍔部が当接するように、前記支持部の上下端部のいずれか一方又は双方が取付状態で前記連結部の側に折り曲げられて形成されていることを特徴とする請求項２に記載のユニットバスへの水栓エルボ固定具。
【請求項４】
前記空間部は、側壁の壁裏のリブに対する長手方向に沿った水栓エルボ固定具の配置位置の対応範囲が広くなるように、長手方向に沿って所定の長さを有していることを特徴とする請求項１ないし３のいずれかに記載のユニットバスへの水栓エルボ固定具。
【発明の詳細な説明】
【技術分野】
【０００１】
本発明は、水栓をユニットバスの壁に取付けるために、前記ユニットバスの壁裏に水栓エルボを固定する固定具に関するものである。
【背景技術】
【０００２】
ユニットバスの壁に湯水混合水栓を取付けるには、一部が壁を貫通する一対の水栓エルボを用いて行われており、前記一対の水栓エルボは、特許文献１に開示される固定具を用いて行われていた。この固定具は平板状に形成され、その長手方向の両端部に水栓エルボの螺子筒部を挿通して固定するための挿通孔を備えている。
【０００３】
上記固定具を使用してユニットバスの壁裏に一対の水栓エルボを固定するには、固定具の各挿通孔に各水栓エルボの螺子筒部をそれぞれ挿通して、固定具に一対の水栓エルボを係止させ、ユニットバスの壁に形成された一対の貫通孔に対して壁裏から各水栓エルボの螺子筒部をそれぞれ挿通して、該螺子筒部の先端部を壁表に突出させ、壁表において前記螺子筒部の突出部にナットを螺合し、前記ナットと水栓エルボの壁裏面当接部とで壁と固定具とを挟持することにより、壁に水栓エルボを固定していた。
【０００４】
しかし、ユニットバスには、補強のために所定間隔をおいて縦横のリブが壁裏に一体に形成されているものがあり、全体が平板状に形成された従来の固定具では、前記リブと固定具とが干渉した場合には、壁表の混合水栓の配置位置に対応する壁裏の位置に一対の水栓エルボが取付けられない問題があった。
【特許文献１】特開２００１−７３４２２号公報
【発明の開示】
【発明が解決しようとする課題】
【０００５】
本発明は、壁裏にリブが形成されているユニットバスにおいても、水栓をユニットバスの壁に取付けるための水栓エルボを壁裏に支障なく固定できるようにすることを課題としている。
【課題を解決するための手段】
【０００６】
上記の課題を解決するために請求項１の発明は、水栓をユニットバスの側壁に取付けるために、前記ユニットバスの側壁の壁裏に水栓エルボを固定する固定具であって、前記側壁の壁裏に当接し、前記水栓エルボを支持する複数の支持部と、該支持部どうしを連結する連結部とを備え、前記連結部は、支持部が側壁の壁裏に当接した状態で、前記側壁の壁裏のリブとの干渉を回避するための空間部を前記側壁との間に形成すべく前記支持部から屈曲して形成されていることを特徴としている。
【０００７】
請求項１の発明によれば、水栓エルボ固定具によってユニットバスの側壁の壁裏に水栓エルボが固定された状態で、側壁の壁裏面と前記固定具の連結部との間には所定の空間部が形成されているので、ユニットバスの側壁の壁裏に補強用のリブが縦方向に形成されている場合でも、前記固定具は、前記リブを跨いだ状態で、側壁の内側の水栓の配置位置に対応した壁裏に配置できる。よって、側壁の壁裏に形成された補強用のリブの存在とは殆ど無関係に（リブとは干渉せずに）、側壁の壁表の水栓の配置位置に対応した壁裏に水栓エルボを取付けることができる。
【０００８】
また、請求項２の発明は、請求項１の発明において、前記支持部に水栓エルボを支持させた状態で、前記水栓エルボの一部が当接して該水栓エルボの廻り止めを行う廻止め部を備えていることを特徴としている。
【０００９】
ユニットバスの壁に水栓エルボを固定するには、固定具及び壁に形成された各挿通孔及び貫通孔に水栓エルボの螺子筒部を挿通して、その一部を壁内に突出させた状態で、壁内において前記螺子筒部の外周面に形成された雄螺子部にナットを螺合させて行う。前記螺合操作の際に、水栓エルボの全体がナットの回転に連れ廻される場合があるが、請求項２の発明によれば、廻止め部の存在により水栓エルボの前記連廻りを防止できて、前記ナットを螺合して行う水栓エルボの固定作業を支障なく行える。
【００１０】
また、請求項３の発明は、請求項２の発明において、前記廻止め部は、水栓エルボの側方に突出形成された鍔部が当接するように、前記支持部の上下端部のいずれか一方又は双方が取付状態で前記連結部の側に折り曲げられて形成されていることを特徴としている。
【００１１】
請求項３の発明によれば、水栓エルボ固定具を構成する複数の支持部の上下端部のいずれか一方又は双方が取付状態で反壁面側に折り曲げられているという極めて簡単な構成によって、前記ナットの螺合作業の際に水栓エルボが連れ廻されるのを防止する廻止め部を形成できる。
【００１２】
また、請求項４の発明は、請求項１ないし３のいずれかの発明において、前記空間部は、側壁の壁裏のリブに対する長手方向に沿った水栓エルボ固定具の配置位置の対応範囲が広くなるように、長手方向に沿って所定の長さを有していることを特徴としている。
【００１３】
側壁の壁裏に複数の水栓エルボを固定するための水栓エルボ固定具の配置位置は、壁表に取付けられる水栓の位置によって定められるので、側壁の壁裏のリブに対する水栓エルボ固定具の配置位置は、全く不明である。しかし、請求項４の発明によれば、水栓エルボ固定具を壁裏に固定した状態で、側壁との間で形成される空間部が水栓エルボ固定具の長手方向に沿って所定の長さを有しているため、側壁の壁裏のリブに対する長手方向に沿った水栓エルボ固定具の配置位置の対応範囲が広くなって、前記リブと干渉する恐れを少なくできる。
【発明の効果】
【００１４】
本発明によれば、ユニットバスの壁裏に補強用のリブが縦方向に形成されている場合でも、前記固定具は、前記リブを跨いだ状態で、壁の内側の水栓の配置位置に対応した壁裏に配置できるので、壁裏に形成された補強用のリブとは干渉せずに、壁表の水栓の配置位置に対応した壁裏に水栓エルボを取付けることができる。
【発明を実施するための最良の形態】
【００１５】
以下、実施例を挙げて本発明を更に詳細に説明する。図１は、本発明の水栓エルボ固定具Ｆを用いて、ユニットバスＢの壁裏に左右一対の水栓エルボＥを所定間隔で固定した状態を壁裏から見た正面図であり、図２は、同じく左右一対の水栓エルボＥの部分の拡大斜視図であり、図３は、同じく拡大正面図であり、図４は、左右一対の水栓エルボＥ、水栓エルボ固定具Ｆ、ナットＮなどの分解斜視図であり、図５は、図３のＸ−Ｘ線断面図であり、図６は、図３のＹ−Ｙ線半断面図であり、図７は、水栓エルボ固定具Ｆの斜視図である。図１ないし図４において、ユニットバスＢは、側壁（周壁）１と底壁２と天壁（図示せず）とを備えて、これらの各壁で形成される浴室３内に、浴槽４、湯水混合水栓（図示せず）などの必要設備が設置された可搬式の構成である。また、ユニットバスＢの各壁の壁裏には、補強用のリブが縦横に直交して一体に形成されており、側壁１に関しては、縦横の各リブＲ1 ，Ｒ2 が直交して一体に形成されている。なお、図１において５は、ユニットバスＢの全体を支持している支持脚を示す。
【００１６】
ユニットバスＢの浴槽４が設置された部分の側壁１には、一対の水栓エルボＥによって湯水混合水栓が取付けられる。水栓エルボＥは、図４ないし図６に示されるように、湯水混合水栓の側に接続される螺子筒部１１と、壁裏において給水パイプＰ1 又は給湯パイプＰ2 に接続されるパイプ接続部１２とが、水又は湯の供給方向を９０°変換可能なエルボ状となって一体に連結された構成である。水栓エルボＥの螺子筒部１１の外周面及び内周面には、それぞれ雄螺子部１１ａ及び雌螺子部１１ｂが形成されていて、雄螺子部１１ａにはナットＮが螺合されると共に、雌螺子部１１ｂには、湯水混合水栓を構成する導水パイプＰ11又は導湯パイプＰ21が接続される（図５及び図６参照）。水栓エルボＥのパイプ接続部１２には、樹脂パイプから成る給水パイプＰ1 又は給湯パイプＰ2 が管端部を拡径された状態で接続される。また、螺子筒部１１の基端側の螺子が形成されていない部分には、該螺子筒部１１の軸心に対して垂直な鍔部１３が両側に突出して一体に形成されている。鍔部１３における側壁１の壁裏面１ｂと対向する面は、該壁裏面１ｂに密着可能なように平面状に形成された密着面１３ａとなっている。なお、図２，図３及び図６において、１４は、水栓エルボＥのパイプ接続部１２に拡径されて接続された給水パイプＰ1 又は給湯パイプＰ2 の外側に嵌着されるリングを示す。
【００１７】
また、水栓エルボ固定具Ｆは、図４及び図７に示されるように、側壁１の壁表の側に配置されて、前記水栓エルボＥの雄螺子部１１ａと螺合されるナットＮと、自身を構成する鍔部１３との間に側壁１と一緒に挟持された状態で、水栓エルボＥを側壁１の壁裏に取付けるのに使用される部材である。即ち、水栓エルボ固定具Ｆは、金属板を折り曲げて形成されていて、長手方向の両端部の支持板部２１が中間の連結板部２２により一体に連結された形状である。両端部の支持板部は、水栓エルボＥが壁裏に取付けられた状態で、壁裏面１ｂに当接する部分である。連結板部２２は、同様の状態において、壁裏面１ｂとの間に空間部３１が形成されるように、両端部の支持板部２１に対して反面側に折り曲げられていて、前記支持板部２１とほぼ平行な連結本体部２２ａと、該連結本体部２２ａと支持板部２１とを連結していて、壁裏面１ｂに対して傾斜配置される連結傾斜部２２ｂとで構成される。また、水栓エルボ固定具Ｆにおいて、長手方向の両端部の各支持板部２１を中央の連結板部２２で連結した構成としたのは、側壁１の壁裏に形成された縦リブＲ1 との干渉を回避して、水栓エルボＥを取付けられるようにするためであって、図５に示されるように、支持板部２１と連結板部２２との板面に対して垂直な方向の距離（Ｌ1 ）は、縦リブＲ1 の突出長（Ｌ2 ）よりも当然に大きい。なお、１ａは、側壁の壁表面を示す。
【００１８】
水栓エルボ固定具Ｆの各支持板部２１には、水栓エルボＥの螺子筒部１１を僅かの隙間を有して挿通可能な円形の挿通孔２３がそれぞれ形成されていると共に、各支持板部２１の幅方向の両端部（水栓エルボＥの取付状態では、上下端部）は、それぞれ背面側に折り曲げられて廻止め板部２４となっている。相上下する各廻止め板部２４の間隔は、水栓エルボＥの鍔部１３が挿入可能なように、該鍔部１３の幅よりも僅かに大きく形成されている。なお、水栓エルボ固定具Ｆの長手方向の両端部に形成された一対の挿通孔２３の間隔（Ｄ）は、左右一対の水栓エルボＥの取付間隔に対応させてある。
【００１９】
そして、本発明に係る水栓エルボ固定具Ｆを使用して、左右一対の水栓エルボＥをユニットバスＢの壁裏に取付けるには、以下のようにして行う。まず、図４に示されるように、ユニットバスＢの側壁１の湯水混合水栓の取付け位置に、左右一対の貫通孔３２をそれぞれ形成しておく。左右一対の貫通孔３２は、縦リブＲ1 を挟んで両側に形成されている。次に、各水栓エルボＥのパイプ接続部１２にそれぞれ給水及び給湯の各パイプＰ1 ，Ｐ2 をそれぞれ接続しておいて、各水栓エルボＥの螺子筒部１１を水栓エルボ固定具Ｆの各挿通孔２３にそれぞれ挿通させると共に、各鍔部１３を固定具Ｆの上下の廻止め板部２４の間に挿入して係止させる。
【００２０】
上記係止状態で、各水栓エルボＥの螺子筒部１１を、ユニットバスＢの側壁１に形成された貫通孔３２にそれぞれ挿通して、前記螺子筒部１１の先端部を側壁１の壁表に突出させ、側壁１の壁表において前記螺子筒部１１の突出部にワッシャー３３を嵌め込んだ後に、その外周面の雄螺子部１１ａにナットＮを螺合させて、側壁１と水栓エルボ固定具Ｆの支持板部２１とを、前記ナットＮと水栓エルボＥの鍔部１３とで挟持する。これにより、水栓エルボ固定具Ｆに形成された左右一対の挿通孔２３の間隔（Ｄ）と同一間隔でもって、側壁１に左右一対の水栓エルボＥが取付けられる。そして、各水栓エルボＥが取付けられた状態では、水栓エルボ固定具Ｆの連結板部２２は、側壁１の壁裏面１ｂから間隔（Ｌ1 ）だけ離間して、両者の間には空間部３１が形成されるため、固定具Ｆは、左右一対の水栓エルボＥの間に存在する縦リブＲ1 を跨いだ状態で配置されて、水栓エルボ固定具Ｆの連結板部２２との干渉が回避される。なお、側壁１の壁表においてナットＮを回転させて、水栓エルボＥの雄螺子部１１ａに螺合させる際に、水栓エルボＥの鍔部１３が固定具Ｆの廻止め板部２４に当接することにより、水栓エルボＥの連れ廻りは防止されるため、水栓エルボＥの雄螺子部１１ａにナットＮをスムーズに螺合させることができる。
【００２１】
また、上記実施例の水栓エルボ固定具Ｆは、縦リブＲ1 の厚さ（Ｔ）に対して連結板部２２の連結本体部２２ａの長さ（Ｌ3 ）が相当に長いので、側壁１の壁裏に水栓エルボ固定具Ｆを取付けた状態において、側壁１との間に形成されて、縦リブＲ1 との干渉を回避可能な空間部３１の長手方向に沿った長さ（Ｌ4 ）が長くなるために、縦リブＲ1 に対する水栓エルボ固定具Ｆの長手方向に沿った配置可能な範囲が広くなる。この結果、壁裏に配置される水栓エルボ固定具Ｆの配置位置は、側壁１の壁表に取付けられる水栓の位置によって定められて、縦リブＲ1 に対する水栓エルボ固定具Ｆの配置位置は全く不明の関係になるが、縦リブＲ1 との干渉を回避可能な空間部３１の長手方向に沿った長さ（Ｌ4 ）が長いために、側壁１の壁裏の縦リブＲ1 に対する長手方向に沿った水栓エルボ固定具Ｆの配置位置の対応範囲が広くなって、前記縦リブＲ1 と干渉する恐れを少なくできる。
【００２２】
なお、上記のようにして、ユニットバスＢの側壁１に左右一対の水栓エルボＥが取付けられた後に、側壁１の壁表側（ユニットバスＢの浴室３内）において、各水栓エルボＥの雌螺子部１１ｂに、湯水混合水栓の導水及び導湯の各パイプＰ11，Ｐ21を接続して、湯水混合水栓の取付けを行う。
【００２３】
また、上記実施例では、縦リブＲ1 と干渉する部分に水栓エルボ固定具Ｆが配置されて、本発明の効果が奏される例であるが、縦リブＲ1 とは干渉しない部分に配置される場合でも、水栓エルボ固定具Ｆは本来の機能（水栓エルボＥを固定する機能）を奏する。
【００２４】
なお、上記実施例は、側壁の壁表に取付けられる湯水混合水栓に対応して、一対の支持板部２１を有する水栓エルボ固定具Ｆについて説明したが、壁表に取付けられる水栓器具によっては、支持板部２１を３個以上有する場合もあり得る。
【図面の簡単な説明】
【００２５】
【図１】本発明の水栓エルボ固定具Ｆを用いて、ユニットバスＢの壁裏に左右一対の水栓エルボＥを所定間隔で固定した状態を壁裏から見た正面図である。
【図２】同じく左右一対の水栓エルボＥの部分の拡大斜視図である。
【図３】同じく拡大正面図である。
【図４】左右一対の水栓エルボＥ、水栓エルボ固定具Ｆ、ナットＮなどの分解斜視図である。
【図５】図３のＸ−Ｘ線断面図である。
【図６】図３のＹ−Ｙ線半断面図である。
【図７】水栓エルボ固定具Ｆの斜視図である。
【符号の説明】
【００２６】
Ｂ：ユニットバス
Ｅ：水栓エルボ
Ｆ：水栓エルボ固定具
Ｒ1 ：縦リブ
１：側壁
１ｂ：壁裏面
１３：水栓エルボの鍔部
２１：固定具の支持板部
２２：固定具の連結板部
２３：挿通孔
２４：固定具の廻止め板部
３１：空間部
【図１】
2006265832.tif 000003
【図２】
2006265832.tif 000004
【図３】
2006265832.tif 000005
【図４】
2006265832.tif 000006
【図５】
2006265832.tif 000007
【図６】
2006265832.tif 000008
【図７】
2006265832.tif 000009